(57)【要約】演奏者の間で音楽作曲および表示を整合させるためのシステムおよび方法が提示される。このシステムおよび方法は、指揮者、作曲家、またはバンド・リーダが、ペン・タイプのインタフェース（３１０）、マウス（３０８）、英数字キーボード（３１８）、または音楽キーボード（３２２）を使用して、作品の楽譜パートの１つまたは複数を対話式に編集することを可能にする。ペン・タイプのインタフェース（３１０）で入力された手書き音楽編集は、フレキシブルにディジタル音楽表記フォーマットに変換することができる。作曲家ステーション（１０２）には、オーケストラとして編成することのできる１つまたは複数の演奏家ステーション（１０４、１０６、１０８、１１０、１１２、１１４）が接続される。楽譜パートは、作曲家から１つまたは複数の演奏家ステーションに選択的に送信することができる。したがって、指揮者ステーション（１０２）のオペレータは、フレキシブルに楽譜パートを書き、編集し、ネットワークを介してそれらのパートを演奏家に送信することができる。このシステムおよび方法は、リハーサル中または演奏中にオーケストラを指揮するのに使用することもできる。
2004500597.tif 000002
【特許請求の範囲】
【請求項１】
楽譜を表示デバイス上に表示するためのプログラムを有するコンピュータ・デバイスであって、指揮者の指示の元でオーケストラの複数の演奏者のそれぞれに使用される複数のコンピュータ・デバイスのネットワーク中において、オーケストラの指導を容易にする方法であって、
各演奏者によって使用される楽器と、演奏者によって使用される対応コンピュータ・デバイスとの識別を登録する段階と、
指揮者によって使用されるコンピュータ・デバイスにおいて、音楽編曲に対する手書きフォーマットで表された変更を受け取る段階であって、指揮者のコンピュータ・デバイスが、変更を手書きフォーマットから電子的な音楽タイプ・フォーマットに変換する手段を有している段階こと、
前記変更をオーケストラのすべての演奏者に送信するか、または変更の影響を受ける楽器を使用する１人または複数の演奏者だけに送信するかを、指揮者が選択できるようにする段階と、
前記変更の影響を受ける楽器を使用する演奏者だけに変更を送信することを指揮者が選択した場合は、どの楽器が変更の影響を受けるかを決定し、その楽器に対して登録された対応コンピュータ・デバイスを識別する段階と、
前記変更を１人または複数の演奏者に送信する前に、電子的な音楽タイプ・フォーマットに変換すべきかどうかを指揮者が選択できるようにする段階と、
指揮者の選択に従って、変更を１人または複数の演奏者に送信する段階と、を含むオーケストラの指導を容易にする方法。
【請求項２】
前記指揮者の変更を受け取る段階が、タッチ・スクリーン表示デバイスを介して変更を受け取ることを含む、請求項１に記載のオーケストラの指導を容易にする方法。
【請求項３】
前記指揮者の変更を受け取る段階が、ディジタイザおよび電子スタイラスを介して変更を受け取ることを含む、請求項１に記載のオーケストラの指導を容易にする方法。
【請求項４】
前記変更を、受け取られた手書きフォーマットで、指揮者のコンピュータ・デバイス上に表示する段階を含む、請求項１に記載のオーケストラの指導を容易にする方法。
【請求項５】
前記変更を、受け取られた手書きフォーマットで、前記変更が送信される演奏者のコンピュータ・デバイス上に表示する段階を含む、請求項４に記載のオーケストラの指導を容易にする方法。
【請求項６】
前記変更を、各演奏者のコンピュータ・デバイス上に表示するために、受け取られた手書きフォーマットから電子フォーマットに変換する段階を含む、請求項５に記載のオーケストラの指導を容易にする方法。
【請求項７】
音楽作曲オーケストレーション・システム用のグラフィカル・ユーザ・インタフェース・システムであって、
表示デバイス上に表示された楽譜に対する変更を指揮者が手書きフォーマットで電子的に入力できるようにする手段と、
入力した変更をオーケストラの複数の演奏者すべてに送信するか、変更の影響を受ける楽器を演奏する１人または複数の演奏者だけに送信するかを、指揮者が選択できるようにする手段と、
入力された変更の影響をどの１人または複数の演奏者が受けるかを決定する手段と、
手書きの変更を演奏者に送信する前に、変更を音楽タイプ・フォーマットに変換するかどうかを指揮者が選択できるようにする手段と、
指揮者の選択に従って前記変更を演奏者に送信する手段と、を有するグラフィカル・ユーザ・インタフェース・システム。
【請求項８】
コンピュータ・キーボードに動作可能に結合された音楽キーボードを有する、請求項７に記載のグラフィカル・ユーザ・インタフェース・システム。
【請求項９】
コンピュータ入力キーボードと、
コンピュータ入力キーボードに可動式に結合された音楽キーボードと、
コンピュータ入力キーボードと音楽キーボードとをコンピュータ・デバイスに接続する手段と、を有する装置。
【請求項１０】
前記コンピュータ入力キーボードが、該入力キーボードの一方の側部に沿ってそれぞれ延びる平行な２本のトラックを備え、該平行なトラックが、音楽キーボードを露出するように完全に延びた第１の位置と、コンピュータ入力キーボード内に引き込まれた第２の位置との間でトラック内をスライドする手段を備える、請求項９に記載の装置。
【請求項１１】
コンピュータ入力キーボードが、キーボードに取り付けられた１つまたは複数のヒンジを備え、該ヒンジが、前記音楽キーボードのために広げられた第１の位置と、コンピュータ入力キーボードの上部に折り畳まれた第２の位置との間で、音楽キーボードとコンピュータ・キーボードとを折り重ねる手段を備える、請求項９に記載の装置。
【請求項１２】
前記音楽キーボードが、
中央キーボード・セグメントと、
２つの側部キーボード・セグメントとを含み、
該２つの側部キーボード・セグメントは、２つのヒンジで中央キーボード・セグメントに取り付けられており、該ヒンジは、前記音楽キーボードのキーと平行に延び、かつキーボードの２つの側部セグメントを中央キーボード・セグメントの上部に折り畳む手段を含んでおり、
それにより、折り畳まれた位置にあるキーボードが、開いたときのキーボードよりも狭くなっていることを特徴とする、請求項９に記載の装置。
【発明の詳細な説明】
【０００１】
（著作権告示）
本特許明細書の開示の一部は、著作権保護を受ける題材を含む。著作権所有者は、本特許明細書または本願による開示が特許庁の特許ファイルまたは記録に出ているとおりにファクシミリ複製されることには異議を有しないが、他の場合には、どのような著作権もすべて保持する。
【０００２】
（発明の背景）
本明細書に開示する本発明は、楽譜を構成し、表示するためのコンピュータ化されたシステムに関する。より詳細には、本発明は、指揮者または作曲家が対話式に楽譜を修正し、修正をオーケストラの個々の演奏家または選択された演奏家のグループに送ることを可能にする、改良型のユーザ・インタフェースおよびシステムである。
【０００３】
従来、どんなオーケストラまたはバンドの演奏家でも、楽譜を演奏するためには紙に印刷された譜面を読む必要があった。このような印刷された譜面の使用は、ページをめくる必要や、落丁の危険や、楽譜の再印刷が必要な恐れもある時間のかかる楽譜の編集または変更の作業など、いくつかの欠点を招いてきた。加えて、印刷された譜面の使用は、オーケストラの指揮者がリハーサル中やコンサート中や演奏中に変更を加える能力を制限し、また作曲プロセスも過度に制限する。
【０００４】
音楽の作曲および記譜をコンピュータ上で行えるようにするために、いくつかのシステムが開発されてきた。このようなシステムの例には、ミネソタ州のＣｏｄａ　Ｍｕｓｉｃ　Ｔｅｃｈｎｏｌｏｇｙ，Ｉｎｃ．から入手可能なＦＩＮＡＬＥ作曲記譜ソフトウェア、ニューヨーク州のＶｏｙｅｔｒａ　Ｔｅｃｈｎｏｌｏｇｉｅｓ　Ｉｎｃ．から出ているＭＵＳＩＣ　ＷＲＩＴＥ　ＰＬＵＳソフトウェア、カリフォルニア州のＳｔｅｉｎｂｅｒｇ　Ｎｏｒｔｈ　Ａｍｅｒｉｃａから入手可能なＣＵＢＡＳＥ　ＶＳＴシステム、および英国のＳｉｂｅｌｉｕｓ　Ｓｏｆｔｗａｒｅ，Ｌｔｄ．から入手可能なＳＩＢＥＬＩＵＳ音楽ソフトウェアが含まれる。一般にこれらのシステムでは、マウスまたはキーボードを介してノート・パレットまたはテンプレートを使用して、あるいはＭＩＤＩに適合するキーボードを通して、楽譜を書き、編集することができる。
【０００５】
Ｃａｓｉｏ　Ｃｏｍｐｕｔｅｒ　Ｃｏ．，Ｌｔｄ．に譲渡された米国特許第５６６５９２７号には、ペン型の音楽記譜用入力デバイスを使用したハンドヘルド・デバイスが記載されている。このデバイスのタッチ・スクリーンは音楽譜表を表示し、ペン型の入力デバイスを使用して、表示された譜表上にユーザが直接に音楽表記を入力する方法を提供する。
【０００６】
これらのソフトウェアおよびシステムは、コンピュータ化された音楽作曲および編集のためのいくつかの基本ツールを提供する。
【０００７】
音楽オブジェクト指向分配システムすなわちＭＯＯＤＳ（Ｍｕｓｉｃ　Ｏｂｊｅｃｔ　Ｏｒｉｅｎｔｅｄ　Ｄｉｓｔｒｉｂｕｔｅｄ　Ｓｙｓｔｅｍ）は、楽譜を協同して編集および閲覧するのに使用することのできる、コンピュータベースの複数の譜面台またはスタンドの統合システムである。ＭＯＯＤＳシステムは、インターネット上の＜ｈｔｔｐ：／／ａｇｕｉｒｒｅ．ｄｓｉ．ｕｎｉｆｉ．ｉｔ／〜ｍｏｏｄｓ＞で検索可能な文書に記述されているが、このシステムはとりわけ、オーケストラによってリハーサル中および公開演奏中に使用されるように設計されている。
【０００８】
ＭＯＯＤＳシステムは、楽譜を表示するための演奏家用の譜面台のセットと、楽譜を示す、視覚化する、または修正するのに使用される指揮者用の譜面台と、これらの譜面台を接続するためのネットワークと、楽譜を記憶および検索するためのデータベースとで構成される。演奏家の譜面台は、オーケストラ内の階層に従って編成されており、したがって第１レベルの演奏家には楽譜に変更を加える資格が与えられ、他の演奏家は能動的とすることも受動的とすることもできる。この階層構成によれば、第１バイオリン奏者など第１の楽器が、楽譜の変更を他のサブ譜面台に直接に送信することができる。
【０００９】
同様に、１９９８年１１月に発行されたＰＣＴ出願番号ＰＣＴ／ＵＳ９８／０８６５８号にも楽譜表示編集システムが記載されているが、このシステムでは、バンド・リーダのデバイスが他のデバイスに表示情報を配信する。リーダは、様々な音楽編集コマンドを使用して楽譜に修正を生み出すことができ、これらの修正は、各デバイスに適用される楽譜パートを表示しているすべてのデバイス上に表示される。このシステムではまた、個々の演奏家が、自分の楽譜パートに個人的な注記を挿入して、自分の個別デバイス上に表示させることもできる。
【００１０】
こうした取り組みにもかかわらず、本発明者の知るところでは、楽譜の修正および配布を管理し整合させる、指揮者または作曲家の作業を単純化し容易にするシステムはない。すなわち、これらのどのシステムでも、指揮者は、ハード・コピーの譜面を使用して作業しているかのような形でコンピュータ化されたデバイスを使用して作業することができず、オーケストラ中の他の者が楽譜の修正を自動的かつリアルタイムに受け取って見ることができる程度にまで完全に制御することができていない。さらに、独立型の、人間工学的に設計された、フレキシブルに再構成される、あるいは運びやすい、完全に一体化された楽譜表示システムもない。本発明は、これらの利点を提供する改良を対象とするものである。
【００１１】
（発明の概要）
本発明の目的は、既存の音楽作曲システムに関連する前述の問題を解決することである。
【００１２】
本発明の別の目的は、オーケストラの指揮者が、オーケストラのすべてまたは何人かの演奏者に対して楽譜を変更することのできる、音楽編集システム用の直観的なユーザ・インタフェースを提供することである。
【００１３】
本発明の別の目的は、手書きの編集変更を、完全にディジタルの音楽作曲演奏システムに取り入れることである。
【００１４】
本発明の別の目的は、複数パートを有する音楽の作曲および指揮のための、人間工学的で、かつ完全に統合されたシステムを提供することである。
【００１５】
以上および他の目的は、複数パートの楽譜作曲を容易するため、およびオーケストラ演奏を指揮するための方法およびシステムによって達成することができる。この方法は、コンピュータ化されたデバイスのネットワークにおいて実施され、各コンピュータ化デバイスは、楽譜を表示デバイス上に表示するためのプログラムを含み、これらのコンピュータ化デバイスは、指揮者の指示の元でオーケストラの複数の演奏者それぞれによって使用される。この方法は、各演奏者によって使用される楽器と、演奏者によって使用される対応するコンピュータ化デバイスとの識別を登録するステップを含む。これにより指揮者は、各デバイスをどの演奏者およびどの楽器が使用しているか知ることができる。
【００１６】
作曲セッション中または演奏中、指揮者は、指揮者のコンピュータ化ステーションにおいて、音楽編曲の１つまたは複数の変更を入力する。これらの変更は、一体化ピアノ・キーボード、マウス、またはキーボードを介して、手書きフォーマットで入力することができる。指揮者のコンピュータ化デバイスは、指揮者から受け取った入力を処理するためのディジタイザおよびタッチ・スクリーンを備え、また、入力された変更を手書きフォーマットからディジタル音楽表記フォーマットに変換する手段も備える。手書き変換の手段は、特許第５６６５９２７号に関して先に述べた音楽手書き認識プログラムとすることができ、この特許を参照により本明細書に組み込む。
【００１７】
指揮者のステーションは、入力した変更をオーケストラのすべての演奏者に送信するか、変更の影響を受ける楽器を使用している１人または複数の選択された演奏者のグループだけに送信するかを、指揮者が選択することを可能にする。指揮者のステーションはまた、変更を演奏者に送信する前にディジタル音楽表記フォーマットに変換すべきかどうかを指揮者が選択することも可能にする。変更の影響を受ける楽器を使用している演奏者だけに変更を送信することを指揮者が選択した場合、指揮者のステーションは、どの楽器が変更の影響を受けるかを決定し、その楽器に対して登録された対応するコンピュータ化デバイスを識別する。次いで、変更は指揮者の選択に従ってネットワークを介して演奏者に送信される。
【００１８】
他のコンピュータベースの楽譜エディタおよび関係するアプリケーションとは異なる、本発明の際立った特徴の一つは、ユーザ・インタフェースである。指揮者および他の演奏家は、パーム・コンピューティング・デバイスでするのと同様に表示画面上に直接書き込むことができ、音符変更、編集、およびその他の音楽的探求をすぐに行うことが可能である。したがって演奏家は、ダイアログ・ボックスやキーボード・コマンドを使用して編集する必要はなく、電子ペンを持って所望の変更を画面上に直接書き込むだけである。例えば四分音符を二分音符に置き換えるには、演奏家は、紙の上でするように譜表上に二分音符を描くだけでよい。この二分音符は、演奏家が手書きで表したものを手書き認識アプリケーションを使用してディジタル音楽表記に変換すると明示的に決定するまで、手書きフォーマットのままである。
【００１９】
バンドまたはオーケストラ中のすべてのコンピュータはネットワーク化されているので、バンド・リーダまたは指揮者は、リハーサル時または演奏時に、中央ステーションからすべての演奏家に対する全般的な編集を行い、編集した楽譜を他のすべての演奏家に同時に送信することができる。指揮者はまた、個々のパートに対して変更を加えることもできる。例えば、指揮者がトランペット・セクションに４小節を繰り返させたい場合、演奏者は、要求された変更を個別に加えるか、指揮者によって加えられた変更を単純に受け入れるか選択することができる。
【００２０】
コンピュータ、表示画面、オペレーティング・システム、およびアプリケーションは、単一の独立型ユニットに統合される。あらゆるものが１つのユニット中にあるので、外部配線およびその他の散乱物は不要になり、セットアップ時間、労力、および起こり得るエラーが低減される。コンピュータ化デバイスを収容するユニットは、十分に大きく、標準的な印刷楽譜ページを表示するのに足りる表示解像度を備えるが、なお持ち運び可能な十分なコンパクト性および軽さを有する。これにより演奏家は、リハーサル、録音、演奏の間にデバイスを持って快適に移動することができる。新しい楽譜およびパートは、ディスクまたはその他のディジタル記憶方法によって配布され、これらは直接にコンピュータ化デバイスによって使用することができる。これにより、関係のない紙製の分冊、または譜面で一杯のかさばるフォルダが不要になる。さらに、どれが最も新しいか、または正しいバージョンの楽譜かということに関するどんな混乱も除去される。今や全ての音楽カタログは、後ろポケットに置くことができる。
【００２１】
本発明を添付の図面の各図に示すが、これらの図は、例示的なものであり限定するものではない。図において、同じ参照は、同じまたは対応する部分を指すものとする。
【００２２】
（好ましい実施形態の詳細な説明）
次に、図面の各図を参照しながら、本発明の好ましい実施形態について述べる。
【００２３】
図１を参照すると、単一の指揮者ステーション１０２および６つの演奏家ステーション１０４、１０６、１０８、１１０、１１２、１１４を有する例示的なオーケストラ構成の概略図が提示されている。指揮者ステーション１０２は、コンピュータ・ネットワーク１２０で演奏家ステーション１０４〜１１４に接続されており、このコンピュータ・ネットワーク１２０は、インターネットや、トークン・リング・システムなどの独自のネットワーク・プロトコルや、無線ネットワーク技術など、いくつかのネットワーク技術のうちの１つに基づくものとすることができる。これらのステーションは、比較的近くにあってもよく、相互から任意の距離で離れていてもよい。
【００２４】
図２を参照すると、指揮者ステーションのブロック図が提示されている。指揮者ステーションは、メモリ２０２と１つまたは複数の入出力デバイス２０６とに接続された、汎用中央処理装置（ＣＰＵ）２０４を備える。ＣＰＵ２０４は一体型キーボードＭＩＤＩインタフェース２０８にも接続され、一体型キーボードＭＩＤＩインタフェース２０８は、後述する一体型の英数字キーボードと音楽キーボード、またはその他の音楽デバイス・インタフェースからの入力を提供する。ＣＰＵ２０４にはまた、ネットワーク１２０上の他の演奏家ステーション１０４〜１１４にアクセスするのに使用されるネットワーク・インタフェース２１２が接続され、これは、指揮者が通信インタフェース２１８を使用して他の演奏家ステーション１０４〜１１４と情報を送受信できるようにする。ＣＰＵ２０４には手書き認識システム２１０が接続されており、この手書き認識システム２１０は、ペン・ストロークを処理して、音楽編集、システム・コマンド、およびその他のユーザ入力を決定する。
【００２５】
ＣＰＵ２０４上では、いくつかのソフトウェア・モジュールが実行される。指揮モジュール２１６は、音楽を作曲および指揮するため、および楽譜をネットワーク上の演奏家に配信するためのプログラム機能を提供する。指揮モジュールには、前述のＦＩＮＡＬＥシステムなど一般的な楽譜編集プログラム２１４がアクセス可能である。システムの基礎をなし、指揮モジュールおよび音楽エディタに接続されているのが、作品データベース２２０であり、これは、音楽作品、楽譜、パート、その他の情報などの音楽データを含むことができる。
【００２６】
図３ａを参照すると、一般化した例示的な音楽作曲デバイスが示されている。この機械は表示画面３１２を備えるが、これは、スタイラスまたはディジタル・ペン３１０で入力される手書き入力を検出することのできるタッチ・スクリーンである。スタイラス３１０は、接続ワイヤで、または赤外線通信システムなどの無線システムを介してシステム１０２に接続することができる。表示画面３１２は、楽譜ページ３１４、ならびに様々なシステム機能をアクティブにするコマンド・アイコン３１６を表示している。これらのボタンは、システムが異なる機能を実施するときまたは異なるモードで動作するときには変化する点で、操作状況に合わせて変化するコンテキスト依存である。このデバイスには、キャリング・ハンドル３０と、フロッピー（登録商標）ディスケット３０４と、ＺＩＰドライブ３０６やその他の磁気または光学記憶デバイスなど取外し可能媒体記憶デバイスとが統合されている。このシステムを操作するのに使用できるマウス３０８またはその他のポインティング・デバイスもまた備わる。
【００２７】
このデバイスはまた、コンピュータで通常使用されるような英数字キーボード３１８を音楽キーボード３２２に統合した一体型キーボード・アセンブリも備える。本発明の一実施形態では、英数字キーボード３１８と音楽キーボード３２２はスライディング・トラック３２０で接続することができ、これは、音楽キーボードを英数字キーボードの中にスライドさせることができる。以下に、キーボード・アセンブリの追加の実施形態について述べる。
【００２８】
図３ｂ〜３ｅを参照しながら、本発明のキーボードの第１実施形態について述べる。図３ｂには、音楽キーボード３２２がガイドまたはトラック３２０に沿って英数字キーボード３１８の下または中にスライドした、閉じた位置のキーボードを示す。図３ｃには、音楽キーボード３２２が英数字キーボード３１８のトラック３２０に沿って延び、したがって両方のキーボードに同時にアクセス可能な、開いた位置のキーボードを示す。図３ｄには、音楽キーボード３２２が英数字キーボード３１８の中にスライドした状態のキーボードの上面図を示し、図３ｅには、同じ上面図だが音楽キーボード３２２が英数字キーボード３１８から延びた状態を示す。
【００２９】
図３ｆ〜３ｇを参照しながら、本発明のキーボードの第２実施形態について述べる。図３ｆには、音楽キーボード３２２がヒンジまたはその他の取付け部品３２４によって英数字キーボード３１８の上に折り畳まれた、閉じた位置のキーボードを示す。図３ｇには、開いた位置にあるヒンジ３２０によって音楽キーボード３２２が英数字キーボード３１８に取り付けられており、したがってやはり両方のキーボードに同時にアクセス可能な、開いた位置のキーボードを示す。図３ｄには、音楽キーボード３２２が英数字キーボード３１８の上に折り畳まれた状態のキーボードの上面図を示し、図３ｅには、同じ上面図だが音楽キーボード３２２が英数字キーボード３１８から広げられた状態を示す。
【００３０】
ここで、上の記述では音楽キーボード３１８が可動コンポーネントであるが、音楽キーボード３１８と英数字キーボード３２２の結合順序を入れ替えて、英数字キーボード３２２が可動コンポーネントになるようにすることもできることに留意されたい。例えば、図３ｂ〜３ｅに関しては、英数字キーボード３２２が音楽キーボード３１８の中にスライドしてもよく、図３ｆ〜３ｉに関しては、英数字キーボード３２２が音楽キーボード３１８の上に折り畳まれてもよい。
【００３１】
図３ｊ〜３ｍを参照しながら、本発明のキーボード・アセンブリの音楽部分の第３実施形態について述べる。この構成は「バタフライ」と呼ばれるが、この構成では、英数字キーボード３１８よりも大きい音楽キーボード３２２が利用可能である。図３ｊを参照すると、閉じた位置のバタフライ・キーボードが示されており、キーボード３２２は中央部分３２８と、ウィングとも呼ばれる２つの側面部分３３０に分割され、２つのヒンジ３２６で連結されている。図３ｋには、２つのウィング３３０が中央部分３２８と同じ高さに開かれて広い単一のキーボード３２２を形成している、開いた位置のバタフライ・キーボードを示す。図３ｌには、ヒンジ３２６が閉じた位置にありウィング３３０が英数字キーボード３１８の上に折り畳まれた状態のバタフライ・キーボード３２２の上面図を示し、図３ｅには、同じ上面図だがバタフライ・キーボード３２２がキーボード３１８の中央部分から広げられた状態を示す。
【００３２】
図３ｎを参照しながら、継手、アダプタ、またはねじで楽譜スタンドまたは譜面台３３２の上部に搭載された楽譜表示システム１０２について述べる。本発明の一実施形態では、快適な視野角度を生み出せるように、継手３３４によって楽譜表示システム１０２を傾けて旋回させることができる。
【００３３】
図４を参照すると、このシステムの一般的な動作を記述した流れ図が提示されている。ステップ４０２で、指揮者は作品を選択するか、あるいは新しい作品を製作する。作品は１つまたは複数の楽譜パートを含み、各楽譜パートは、オーケストラ中の１人の演奏家および関連する演奏家ステーションに対応する。ステップ４０４で、指揮者は、このパートを対応する演奏家または演奏家ステーションに関連付けるか登録する。別法として、演奏家が自分の識別および／または楽器とステーションＩＤを事前登録するが、このデータは指揮者のステーションに送信されてそこに記憶され、それにより指揮者は、例えば変更の影響を受ける楽器だけに変更を送信するオプションを選択することによって、変更を受信する演奏家ステーションを選択する際に、このデータを使用し、このデータにアクセスする。次いでシステムは、指揮者が関連性情報を再入力する必要がないように、関連性を記憶することができる。次いでステップ４０６で、指揮者は、楽譜パートを閲覧、修正、または送信するために、個々の演奏家または演奏家のグループに対応するパートを選択する。楽譜パートを選択すると、ステップ４０８で、指揮者は、手書きシステムによって認識される編集マークを使用してそのパートを処理することができる。次いでステップ４１０で、指揮者は、手書き変更をディジタル音楽フォーマットに変換するかどうかを選択する。指揮者が手書きの編集変更を最終承認する決定を下した場合、ステップ４１２で、システムは、手書き編集マークを認識してディジタル音楽表記に変換する。次いでステップ４１４で、指揮者は、どの演奏家ステーションが変更を受信することになるか、例えばすべてのステーションか、または影響を受ける楽器に関連するステーションだけかを選択する。次いでステップ４１６で、変更は、選択された１つまたは複数の演奏家ステーションにネットワーク上で送信される。得られた楽譜変更はまた、ステップ４１６で記憶することもできる。
【００３４】
図５を参照すると、指揮者システムの編集画面の詳細な図が示されている。この画面表示は、概略的に描かれた２枚の楽譜ページ３１４を示している。楽譜表示３１４の下には、システム機能を提供する一組のアイコンまたはボタン３１６がある。この例示的な画面では、６つのボタン３３６〜３４６がアクティブだが、ボタンはこれよりも多数または少数である場合もあり、ボタン３１６の位置は様々である場合がある。システムが異なるプロセスまたはモジュールを実行しているときは、ボタン３１６上のテキストまたは記号は変化する。現在の表示にある６つのボタンは、左から右に述べると、すべての演奏家に楽譜を送信するボタン３３６、選択された演奏家のグループに楽譜を送信するボタン３３８、個別の演奏家に楽譜を送信するボタン３４０である。次のボタン３４２は、選択されると、手書きの楽譜変更をディジタル音楽表記フォーマットに変換する。次のボタン３４４は前の楽譜ページを表示し、最後のボタン３４６は次の楽譜ページを表示する。
【００３５】
図６ａ〜６ｃに関して、単純な音楽編集の例について述べる。図６ａには、本発明の表示３１２上にある抽象化した楽譜３１４を示すが、これには音符３５０が表示されている。図６ｂには、手書きの音楽注記３５２を示すが、これはこの場合、表示３１２上の楽譜３１４の音符３５０を削除する注記である。図６ｃでは、手書き注記３５２がディジタル音楽注記に変換され、音符３５０が表示３１２上の楽譜３１４から削除されている。
【００３６】
図７ａ〜７ｂに関して、音符を追加する例を示す。図７ａでは、表示３１２の楽譜３１４上に、手書きの全音符３６０が指揮者によって描かれている。図７ｂでは、ディジタル音楽表記フォーマットに変換された後の全音符３５０が、表示３１２の楽譜３１４上に示されている。
【００３７】
本発明を好ましい実施形態との関連で記述および図示したが、本発明の趣旨および範囲を逸脱することなく、当業者に明白な多くの変形および修正を加えることができる。したがって、このような変形および修正も本発明の範囲に含めるものとするので、本発明は、以上に述べた方法および構成の正確な詳細に限定されない。
【図面の簡単な説明】
【図１】
本発明の一実施形態による、コンピュータ化された音楽作曲デバイスの例示的なネットワークを示す図である。
【図２】
本発明の一実施形態による、例示的な音楽作曲デバイスのブロック図である。
【図３ａ】
図２の例示的な音楽作曲デバイスの斜視図である。
【図３ｂ】
キーボードが閉じた位置にある、本発明の第１実施形態のキーボード・アセンブリの側面図である。
【図３ｃ】
キーボードが開いた状態にある、本発明の第１実施形態のキーボード・アセンブリの側面図である。
【図３ｄ】
キーボードが閉じた位置にある、本発明の第１実施形態のキーボード・アセンブリの上面図である。
【図３ｅ】
キーボードが開いた状態にある、本発明の第１実施形態のキーボード・アセンブリの側面図である。
【図３ｆ】
キーボードが閉じた位置にある、本発明の第２実施形態のキーボード・アセンブリの側面図である。
【図３ｇ】
キーボードが開いた位置にある、本発明の第２実施形態のキーボード・アセンブリの側面図である。
【図３ｈ】
キーボードが閉じた位置にある、本発明の第２実施形態のキーボード・アセンブリの上面図である。
【図３ｉ】
キーボードが閉じた位置にある、本発明の第２実施形態のキーボード・アセンブリの上面図である。
【図３ｊ】
キーボードが閉じた位置にある、本発明の第３実施形態のキーボード・アセンブリの側面図である。
【図３ｋ】
キーボードが開いた位置にある、本発明の第３実施形態のキーボード・アセンブリの側面図である。
【図３ｌ】
キーボードが閉じた位置にある、本発明の第３実施形態のキーボード・アセンブリの上面図である。
【図３ｍ】
キーボードが開いた位置にある、本発明の第３実施形態のキーボード・アセンブリの上面図である。
【図３ｎ】
楽譜スタンド上に搭載された図３ａの音楽作曲デバイスの斜視図である。
【図４】
図１に示したシステムを使用した例示的なオーケストラ指導プロセスを示すフロー・チャートである。
【図５】
例示的な一組のアクティブ制御ボタンを示す、図２および３のデバイスに関する例示的な画面表示を表す図である。
【図６】
ａ〜ｃは、本発明の一実施形態の動作中に生成される例示的な一連の画面表示を表す図である。
【図７】
ａ〜ｂは、本発明の一実施形態の動作中に生成される例示的な一連の画面表示を表す図である。
【図１】
2004500597.tif 000003
【図２】
2004500597.tif 000004
【図４】
2004500597.tif 000005
【図５】
2004500597.tif 000006
【国際公開パンフレット】
2004500597.tif 000007
2004500597.tif 000008
2004500597.tif 000009
2004500597.tif 000010
2004500597.tif 000011
2004500597.tif 000012
2004500597.tif 000013
2004500597.tif 000014
2004500597.tif 000015
2004500597.tif 000016
2004500597.tif 000017
2004500597.tif 000018
2004500597.tif 000019
2004500597.tif 000020
2004500597.tif 000021
2004500597.tif 000022
2004500597.tif 000023
2004500597.tif 000024
2004500597.tif 000025
2004500597.tif 000026
2004500597.tif 000027
2004500597.tif 000028
2004500597.tif 000029
2004500597.tif 000030
2004500597.tif 000031
2004500597.tif 000032
2004500597.tif 000033
2004500597.tif 000034
【国際調査報告】
2004500597.tif 000035
2004500597.tif 000036
2004500597.tif 000037
2004500597.tif 000038